(57)【要約】【課題】温度ムラによる染料の濃淡ムラの発生と、被染色面とは反対側の面に対する染料の付着を同時に抑制する。【解決手段】レンズ保持用シート１７の一方の面に塗布された粘着剤１８によってプラスチックレンズ３の被染色面３ａとは反対側の面３ｂを全面にわたって保持する。昇華性染料２が塗布された染色基板８を保持部材９内に装着する。プラスチックレンズ３が貼着されたレンズ保持用シート１７を保持部材９の上方側開口部にプラスチックレンズ３の被染色面３ａを染色基板８に対向させて装着する。真空容器４を真空排気し、加熱装置６によって染色基板８を加熱して昇華性染料２を昇華させることにより、プラスチックレンズ３の被染色面３ａを染色する。【選択図】  図１
2011075689.tif 000002
【特許請求の範囲】
【請求項１】
プラスチックレンズに昇華性染料を塗布するときに前記プラスチックレンズを保持する保持方法であって、
前記プラスチックレンズの保持手段として、レンズ保持部と、このレンズ保持部の外側に設けられた固定部とを有し、少なくとも前記レンズ保持部の一方の面に粘着剤が塗布されたレンズ保持用シートを用い、前記レンズ保持部によって前記プラスチックレンズの被染色面とは反対側の面を全面にわたって覆う形態で保持するプラスチックレンズの保持方法。
【請求項２】
染色基板に昇華性染料を塗布する工程と、
レンズ保持部と、このレンズ保持部の外側に設けられた固定部とを有し、少なくとも前記レンズ保持部の一方の面に粘着剤が塗布されたレンズ保持用シートの前記レンズ保持部によってプラスチックレンズの被染色面とは反対側の面を全面にわたって覆う形態で保持する工程と、
前記染色基板を保持部材内に装着する工程と、
前記プラスチックレンズを保持した前記レンズ保持用シートの固定部を前記保持部材の上方側開口部に前記プラスチックレンズの被染色面を前記染色基板の昇華性染料に対向させて固定する工程と、
前記保持部材を真空容器内に装着する工程と、
前記真空容器を真空排気する工程と、
加熱装置によって前記染色基板を加熱し、前記昇華性染料を昇華させることにより、前記プラスチックレンズの被染色面を染色する工程と、
を備えたプラスチックレンズの昇華染色方法。
【請求項３】
請求項２記載のプラスチックレンズの昇華染色方法において、
前記レンズ保持用シートのレンズ保持部に複数の空気抜き用孔を形成してなるプラスチックレンズの昇華染色方法。
【請求項４】
プラスチックレンズを気相にて染色を行なう昇華染色装置において、
真空容器内に配設された加熱装置と、前記真空容器内を真空排気する排気装置と、前記加熱装置の上方に配設された保持部材と、前記プラスチックレンズを保持するレンズ保持用シートと、前記保持部材内に装着され前記加熱装置によって加熱される染色基板と、この染色基板の表面に塗布された昇華性染料とを備え、
前記レンズ保持用シートは、レンズ保持部と、このレンズ保持部の外側に設けられた固定部とを有し、少なくとも前記レンズ保持部の一方の面に粘着剤が塗布された粘着剤付きシートからなり、前記レンズ保持部によって前記プラスチックレンズの被染色面とは反対側の面を全面にわたって保持し、前記固定部が前記保持部材の上方側開口部に前記プラスチックレンズの被染色面を前記昇華性染料に対向させて固定されるプラスチックレンズの昇華染色装置。
【請求項５】
請求項４記載のプラスチックレンズの昇華染色装置において、
前記レンズ保持用シートのレンズ保持部に複数の空気抜き用孔を形成してなるプラスチックレンズの昇華染色装置。
【発明の詳細な説明】
【技術分野】
【０００１】
本発明は、昇華性染料をプラスチックレンズに染色する際に用いられるプラスチックレンズの保持方法、昇華染色方法および昇華染色装置に関する。
【背景技術】
【０００２】
光学部品、特に眼鏡用のプラスチックレンズを染色処理、硬化処理等の表面加工処理する場合、例えば、特許文献１〜５に開示されているように適宜なレンズ保持具によってレンズを保持している。
【０００３】
前記特許文献１は、支柱に設けた一対の押え具をばねによってレンズ外周に押し付けてレンズを保持し、この保持具とともにレンズを染色液中に浸漬するようにしている（特許文献１の図９に図示）。また、レンズの他の保持方法として、保持部材を接着、圧着、挟み込み、ねじ込み、挿入あるいは吊り下げ等によってレンズに取付けるようにしている（特許文献１の図１〜図７に図示）。
【０００４】
前記特許文献２〜５は、いずれも昇華性染料を加熱、昇華させてレンズを染色するもので、リング状のレンズ支持具や支持台によってプラスチックレンズの外周を保持するようにしている。
【先行技術文献】
【特許文献】
【０００５】
【特許文献１】特開２００１−４６９４７号公報
【特許文献２】特開２００１−５９９５０号公報
【特許文献３】特開２００１−２１５３０６号公報
【特許文献４】特開２００４−６９９０５号公報
【特許文献５】特開２００５−２５１３０号公報
【発明の概要】
【発明が解決しようとする課題】
【０００６】
しかしながら、上記した特許文献１の図１〜７または図９に開示されている保持具を用いて昇華染色すると、染色むらが発生することが度々あった。そこで、本発明者等は、その原因を突き止めるために各種精査した結果、加熱工程において、レンズと保持具の熱伝導率の違いにより、保持具が接触しているレンズ部分と保持具が接触していないレンズ部分とでは均一に加熱されず温度ムラが発生し、その結果として染料が一様に付着、浸透せず、染色ムラが生じ易くなることが判った。
【０００７】
前記特許文献２〜５に記載されているレンズ保持具は、いずれもレンズの外周を保持しているため、前記特許文献１の方法と同じくレンズの中心部と外周縁部の温度が異なり、染色ムラが発生する。
【０００８】
また、上記特許文献１〜５に記載のレンズ保持具は、いずれも被染色面とは反対側の面を保護していないため、この面にも蒸発した染料が回り込んで付着し、染色ムラの原因になるという問題もあった。
【０００９】
本発明は上記した従来の問題を一挙に解決するためになされたもので、その目的とするところは、温度ムラによる染色ムラの発生と、被染色面とは反対側の面に対する染料の付着を同時に抑制し、良好に染色し得るようにしたプラスチックレンズの保持方法、昇華染色方法および昇華染色装置を提供することにある。
【課題を解決するための手段】
【００１０】
上記目的を達成するために本発明に係るプラスチックレンズの保持方法は、プラスチックレンズに昇華性染料を塗布するときに前記プラスチックレンズを保持する保持方法であって、前記プラスチックレンズの保持手段として、レンズ保持部と、このレンズ保持部の外側に設けられた固定部とを有し、少なくとも前記レンズ保持部の一方の面に粘着剤が塗布されたレンズ保持用シートを用い、前記レンズ保持部によって前記プラスチックレンズの被染色面とは反対側の面を全面にわたって覆う形態で保持するものである。
【００１１】
本発明に係るプラスチックレンズの昇華染色方法は、染色基板に昇華性染料を塗布する工程と、レンズ保持部と、このレンズ保持部の外側に設けられた固定部とを有し、少なくとも前記レンズ保持部の一方の面に粘着剤が塗布されたレンズ保持用シートの前記レンズ保持部によってプラスチックレンズの被染色面とは反対側の面を全面にわたって覆う形態で保持する工程と、前記染色基板を保持部材内に装着する工程と、前記プラスチックレンズを保持した前記レンズ保持用シートの固定部を前記保持部材の上方側開口部に前記プラスチックレンズの被染色面を前記染色基板の昇華性染料に対向させて固定する工程と、前記保持部材を真空容器内に装着する工程と、前記真空容器を真空排気する工程と、加熱装置によって前記染色基板を加熱し、前記昇華性染料を昇華させることにより、前記プラスチックレンズの被染色面を染色する工程とを備えたものである。
【００１２】
本発明に係るプラスチックレンズの昇華染色装置は、真空容器内に配設された加熱装置と、前記真空容器内を真空排気する排気装置と、前記加熱装置の上方に配設された保持部材と、前記プラスチックレンズを保持するレンズ保持用シートと、前記保持部材内に装着され前記加熱装置によって加熱される染色基板と、この染色基板の表面に塗布された昇華性染料とを備え、前記レンズ保持用シートは、レンズ保持部と、このレンズ保持部の外側に設けられた固定部とを有し、少なくとも前記レンズ保持部の一方の面に粘着剤が塗布された粘着剤付きシートからなり、前記レンズ保持部によって前記プラスチックレンズの被染色面とは反対側の面を全面にわたって保持し、前記固定部が前記保持部材の上方側開口部に前記プラスチックレンズの被染色面を前記昇華性染料に対向させて固定されるものである。
【００１３】
また、本発明に係るプラスチックレンズの昇華染色方法および昇華染色装置は、上記発明において、前記レンズ保持用シートのレンズ保持部に複数の空気抜き用孔を形成してなるものである。
【発明の効果】
【００１４】
本発明において、レンズ保持用シートはプラスチックレンズの被染色面とは反対側の面を粘着剤によって全面にわたって保持しているので、加熱、染色時にレンズの全面を均一に加熱することができるから良好に染色でき、温度勾配による染色ムラの発生を防止することができる。また、レンズ保持用シートは、プラスチックレンズを保持する保持機能に加えてレンズの被染色面とは反対側の面を保護する保護機能を有しているので、蒸発した染料が反対側の面に付着するおそれがなく、良好に染色することができる。
【００１５】
さらに、本発明においては、レンズ保持用シートでプラスチックレンズを保持したとき、シートに皺ができてシートとレンズとの間に気泡が溜まっても、この溜まった気泡を真空排気時に空気抜き用孔によって脱気することができるため、気泡の熱膨張による粘着剤からのレンズの剥離を防止できる。
【図面の簡単な説明】
【００１６】
【図１】本発明に係る昇華染色装置の一実施の形態の染色直前の状態を示す概略構成図である。
【図２】染色時の状態を示す概略構成図である。
【図３】染色基板の平面図である。
【図４】レンズ保持用シートの平面図である。
【発明を実施するための形態】
【００１７】
以下、本発明の実施の形態を図面に基づいて詳細に説明する。
図１〜図４において、全体を符号１で示す昇華染色装置は、昇華性染料２をプラスチックレンズ３の被染色面３ａ（例えば、凹面）に気相にて塗布するもので、真空容器４と、染色時に真空容器４内の空気を排気して所定の真空度にする排気装置５と、真空容器４内に配設された加熱装置６と、可動ステージ７と、染色基板８およびプラスチックレンズ３が装着される保持部材９と、可動ステージ７を昇降させる昇降機構１０と、装置全体と染色工程を制御する制御部１２等を備えている。
【００１８】
昇華性染料２としては、大気中または真空中で加熱した場合に昇華する染料であればよく、市販品、例えばカヤセットブルー906（日本化薬株式会社製）、カヤセットブラウン939（日本化薬株式会社製）、 カヤセットレッド130（日本化薬株式会社製）Kayalon Microester Red C-LS conc（日本化薬株式会社製）、Kayalon Microester Red AQ-LE（日本化薬株式会社製）、Ｋayalon Ｍicroester Red DX-LS（日本化薬株式会社製）、Dianix Blue AC-E（ダイスタージャパン株式会社製）、 Dianix Red AC-E 0１、（ダイスタージャパン株式会社製）、Dianix Yellow AC-E new（ダイスタージャパン株式会社製）、Kayalon Microester Yellow C-LS（日本化薬株式会社製）、 Kayalon Microester Yellow AQ-LE（日本化薬株式会社製）、Kayalon Microester Blue C-LS conc（日本化薬株式会社製）、Kayalon Microester Blue AQ-LE（日本化薬株式会社製）、Kayalon Microester Blue DX-LS conc（日本化薬株式会社製）等を使用することができる。
【００１９】
昇華性染料２の染色基板８への塗布方法としては、種々の方法による塗布が可能であるが、本発明においては、市販品のディスペンサー装置によって染色基板８の表面にドット状に点在するように滴下して多数塗布した。滴下によって塗布されたドット状の昇華性染料２の大きさ（塗布量）は、ノズルからの吐出時間（吐出量）によって自由に調整することが可能であるが、好ましくは１ドット当たりの直径が１ｍｍ〜１０ｍｍ程度、より好ましくは２ｍｍ〜６ｍｍで、ドット相互間の間隔（昇華性染料によるドットの周辺と隣接する他のドットの周辺との間隔）は１ｍｍ〜１０ｍｍ程度が望ましい。また、ドットの大きさは、染色濃度に応じて変化させることができ、また全て同じ大きさにする必要はなく、被染色面３ａのカーブやハーフ染色（グラデーション染色）に応じて徐々に変化させてもよい。
【００２０】
プラスチックレンズ３は、外径が６５〜８０ｍｍφ程度の円形レンズからなり、被塗布面３ａが所定の光学面に仕上げ加工されている。
【００２１】
染色基板８としては、ガラスが使用されるが、これに限らず金属製であってもよい。
【００２２】
加熱装置６は、円筒状の外ケース６Ａ内にヒータ１３を内蔵して真空容器４の内部下方に配設されており、外ケース６Ａの上面が平坦な円形の加熱面１３ａを形成している。ヒータ１３としては、電流抵抗ヒータや遠赤外線ヒータ等を用いることができる。
【００２３】
可動ステージ７は、加熱装置６が貫通可能な中心孔１５と、上面側に中心孔１５と同心状に形成され保持部材９の下端部が嵌合する凹陥部１６とを有するプレートからなり、真空容器４内に立設した複数本のガイド支柱１４に上下動自在に配設され、昇降機構１０によって昇降されるように構成されている。昇降機構１０としては、可動ステージ７を昇降させる機構であればどのような機構、装置でもよく、例えばリニアガイドや回動アームを用いることができる。
【００２４】
保持部材９は、外径がステージ７の凹陥部１６の内径と略等しく、内径が染色基板８の外径より僅かに大きく両端が開放した円筒体からなり、下端開口部に前記染色基板８の下面外周縁部を支持する支持部２０が一体に設けられている。支持部２０は、環状の内フランジからなり、内径がステージ７の中心孔１５の穴径と略等しく設定されている。
【００２５】
保持部材９の上面には、プラスチックレンズ３がレンズ保持用シート１７を介して配設されている。保持部材９の上面には複数個、例えば４つの位置決め用ピン１９が周方向に９０°の間隔をおいて突設されている。一方、保持部材９の下面には、ステージ７の凹陥部１６の底面に突設した位置決めピン２２に嵌合する嵌合凹部２１が形成されている。
【００２６】
レンズ保持用シート１７は、柔軟性および耐熱性を有する樹脂製シートからなり、プラスチックレンズ３の外径より十分に大きく保持部材９の外径と略等しい外径を有する円形に形成され、下面に粘着剤１８が全面にわたって塗布され、中央部がレンズ保持部１７Ａを形成し、このレンズ保持部１７Ａを取り囲む外側部分が保持部材９に対する固定部１７Ｂを形成している。
【００２７】
レンズ保持用シート１７のレンズ保持部１７Ａは、染色処理すべきプラスチックレンズ３の最大外径と略等しいかまたはこれより若干大きい領域で、プラスチックレンズ３の被染色面３ａとは反対側の面（凸面）３ｂを全面にわたって覆う形態で保持する。レンズを保持する際は、レンズ保持部１７Ａに塗布されている粘着剤１８をプラスチックレンズ３に押し付け、レンズ保持用シート１７にレンズを貼着すればよい。レンズ保持部１７Ａには、複数の空気抜き用孔２３が形成されている。この空気抜き用孔２３は、レンズ保持用シート１７にプラスチックレンズ３を貼着したとき、シートに皺が生じてシートとレンズとの界面に滞留する気泡を脱気するために形成されるもので、シートに粘着剤１８を塗布した後に形成されることにより、シート１７と粘着剤１８を貫通して形成されている。本実施の形態においては、図４に示すように空気抜き用孔２３を縦横等間隔に形成してレンズ保持部１７Ａの中央部と外周部における空気抜き用孔２３の形成密度を等しくした例を示しているが、レンズ保持部１７Ａをレンズに貼着したときに皺が生じ易い外周部分の形成密度を中央部よりも大きくすることが望ましい。
【００２８】
レンズ保持用シート１７の固定部１７Ｂには、保持部材９の位置決め用ピン１９が挿通される４つのピン用孔２４が周方向に等間隔おいて形成されている。
【００２９】
次に、上記構造からなる昇華染色装置１による染色手順について説明する。
染色の準備工程として、先ず、プラスチックレンズ３をレンズ保持用シート１７によって保持する。この保持は、粘着剤１８による貼着保持のため、プラスチックレンズ３を傷つけたりするおそれが少なく、容易に行うことができる。プラスチックレンズ３の被染色面３ａとは反対側の面３ｂをレンズ保持用シート１７のレンズ保持部１７Ａに押し付けて貼着すると、皺が生じるため、レンズ保持部１７Ａの表面を擦って皺を伸ばしレンズとレンズ保持部１７Ａとの界面に滞留している気泡を空気抜き用孔２３から外部に排出する。
【００３０】
次に、ディスペンサー装置によって染色基板８の表面に昇華性染料２を所定の間隔をおいてドット状に多数滴下して塗布する。なお、染色基板８への昇華性染料２の塗布工程と、プラスチックレンズ３をレンズ保持用シート１７によって保持する工程は、前後いずれであってもよく、また並行して行なってもよい。
【００３１】
次に、昇華性染料２が塗布された染色基板８を保持部材９に昇華性染料２が塗布されている面を上にして装着する。染色基板８の保持部材９への装着は、染色基板８を自重により保持部材９の支持部２０上に落下させることにより容易に行うことができる。
【００３２】
さらに、プラスチックレンズ３を保持するレンズ保持用シート１７を保持部材９の上方側開口部に固定する。固定に際しては、ピン用孔２４に位置決め用ピン１９を差し込んで位置決めし、固定部１７Ｂを保持部材９の上面に押し付けて貼着する。
【００３３】
次に、染色基板８とレンズ３が装着された保持部材９を真空容器４内に挿入し、下端部を可動ステージ７の上面に形成した凹陥部１６に嵌合する。このとき、保持部材９の下面に設けた位置決め用凹部２１と凹陥部１６の底面に設けた突起２２を嵌合することにより、保持部材９を可動ステージ７に対して位置決めするとともに回転を防止する。保持部材９の装着時において、可動ステージ７は、図１に示すように加熱装置６より上方の初期位置に保持されている。
【００３４】
保持部材９の装着が終了すると、真空容器４を密閉して排気装置５を駆動し、真空容器４内を排気して所定の真空度にする。また、加熱装置６の電源をＯＮにしてヒータ１３を加熱し、加熱面１３ａを所定の温度にまで上昇させる。加熱面１３ａの温度は、図示を省略した温度センサによって検知され、その信号が制御部１２に送られる。制御部１２は、加熱面１３ａが所定の温度を保持するようにヒータ１３を制御する。なお、加熱面１３ａの温度は、昇華性染料２の種類、染色濃度、プラスチックレンズ３の材質等によって予め決定され、図示を省略したタッチパネル等の入力装置によって制御部１２に入力される。
【００３５】
ヒータ１３の加熱面１３ａの温度が所定の温度に達すると、制御部１２は、昇降機構１０を駆動して可動ステージ７を図２に示す染色位置まで下降させ、その下降途中において染色基板８を保持部材９から加熱装置６へ受け渡す。すなわち、可動ステージ７が加熱装置６の位置まで下降すると、染色基板８は加熱装置６に当たって下面がヒータ１３の加熱面１３ａに接触し、さらに可動ステージ７が一定量下降することにより加熱装置６の上にそのまま残り、加熱装置６に受け渡される。そして、可動ステージ７は染色位置まで下降して停止することにより、プラスチックレンズ３を染色基板８に近づけてその間隔を染色時の間隔に設定する。
【００３６】
染色時におけるプラスチックレンズ３と染色基板８のの間隔は、狭すぎると昇華性染料２の分散が十分に行われず、染色ムラの原因となる。このため、プラスチックレンズ３は、光学中心を染色基板８に対して最短で５ｍｍ程度以上離しておくことが望ましい。また、可動ステージ７の昇降動作を制御することにより、プラスチックレンズ３と染色基板８の間隔を、例えば５ｍｍ間隔で調整する。なお、プラスチックレンズ３と染色基板８を離しすぎた場合も、昇華性染料が均一に分散されず、染色ムラの原因となる。また、所定の染色濃度を得るために時間がかかる。このため、プラスチックレンズ３と染色基板８の間隔は、５〜２５ｍｍ程度とされる。
【００３７】
加熱装置６に受け渡された染色基板８は、ヒータ１３によって所定温度に加熱される。昇華性染料２は、ヒータ１３により染色基板８を介して加熱されることにより昇華し、微粒子となってプラスチックレンズ３の被染色面３ａに付着、堆積し、被膜を形成する。染色基板８の加熱温度は、真空容器４の真空条件、プラスチックレンズ３の材質、昇華性染料２の材質等によって異なるが、８０℃〜２８０℃程度が望ましい。
【００３８】
昇華染色工程が終了すると、加熱装置６の電源をＯＦＦにし、昇降機構１０を上記とは反対方向に駆動して可動ステージ７を上昇させ、図１に示す初期位置に復帰させる。可動ステージ７は、上昇途中において、支持部２０が染色基板８の下面外周縁部に接触して持ち上げることにより、加熱装置６から染色基板８を受け取る。
【００３９】
可動ステージ７が上昇して初期位置に復帰すると、真空容器４を開いて保持部材９を取り出す。そして、次工程において、プラスチックレンズ３に染色された昇華性染料２を加熱によってレンズ内部に浸透、拡散させ（浸透工程）、もってプラスチックレンズ３への昇華染色を終了する。
【００４０】
このように本発明に係る昇華染色装置１によれば、レンズ保持用シート１７によってプラスチックレンズ３の被染色面３ａとは反対側の面３ｂを全面にわたって保持しているので、加熱装置６によってプラスチックレンズ３を染色基板８を介して加熱したとき、レンズの全面を略均一に加熱することができ、良好に染色することができる。染色後、プラスチックレンズ３を目視によって検査したところ、昇華性染料２がプラスチックレンズ３の被染色面全体に濃淡のムラがなく均一に染色されていた。
【００４１】
また、レンズ保持用シート１７によってプラスチックレンズ３の被染色面３ａとは反対側の面３ｂを全面にわたって保護し、保持部材９の上方側開口部を覆っているので、蒸発した微粒子状の昇華性染料２が保持部材９の上方に飛翔してプラスチックレンズ３の被染色面３ａとは反対側の面３ｂに付着するおそれがなく、これによっても染料の濃淡ムラの発生を防止することができる。
【００４２】
さらに、本発明においては、プラスチックレンズ３のレンズ保持用シート１７からの剥離、脱落を防止することができる。すなわち、プラスチックレンズ３の被染色面３ａとは反対側の面３ｂの全体にわたってレンズ保持用シート１７のレンズ保持部１７Ａを貼着すると、シートに皺が生じてレンズとシートとの界面に気泡が滞留し、この気泡が加熱染色時に加熱されて膨張すると、粘着剤１８からプラスチックレンズ３が剥離するおそれがある。そこで、レンズ保持用シート１７のレンズ保持部１７Ａに空気抜き用孔２３を設けておくと、真空排気時にレンズとシートとの界面に滞留している気泡を空気抜き用孔２３から脱気することができ、プラスチックレンズ３がレンズ保持用シート１７から剥離し脱落するおそれがない。
【００４３】
また、染色基板８を加熱装置６の加熱面１３ａに接触させているので、加熱効率が高く、短時間に所定の温度に加熱することができ、生産性を向上させることができる。
【００４４】
なお、上記した実施の形態は、染色基板８を加熱装置６の加熱面１３ａに直接接触させて加熱するようにしたが、本発明はこれに何ら特定されるものではなく、加熱面１３ａと所定の間隔を保って近接させてもよい。その場合は、ヒータ１３の加熱面１３ａが外ケース６Ａの上面より下方に位置するようにヒータ１３を外ケース６Ａ内に組み込むか、または外ケース６Ａの上面に染色基板８の下面外周縁部を支持する支持部を設ければよい。
また、上記した実施の形態は、保持部材９と可動ステージ７を別部材で分離可能に配置したが、反対に、可動ステージ７に保持部材９と同形状をもった保持部を一体に設けてもよい。
【００４５】
また、上記した実施の形態は、プラスチックレンズ３として縁摺り加工前の円形レンズの昇華染色に適用した例について説明したが、本発明はこれに限らず縁摺り加工された玉形レンズにも適用することができる。
【００４６】
さらに、本発明は上記した実施の形態に限らず種々の変更、変形が可能である。例えば、レンズ保持用シート１７のレンズ保持部１７Ａと固定部１７Ｂに粘着剤１８を塗布した例を示したが、レンズ保持部１７Ａのみに塗布し、固定部１７Ｂについては塗布せず、保持部材９の上面に位置決め用ピン１９によって位置決めして載置した後、例えば図１に示すように重り３０を位置決め用ピン１９に嵌合して固定部１７Ｂを保持部材９の上面に押し付けて固定するようにしてもよい。
【００４７】
また、位置決め用ピン１９は、先端が尖った針状のものであって、レンズ保持用シート１７に刺し通されるものであってもよい。
【００４８】
また、保持部材９は、円筒形に限らず、四角形、楕円形等の適宜な形状の筒体であってもよく、その形状に応じてレンズ保持用シート１７の形状を決定すればよい。
【符号の説明】
【００４９】
１…染色装置は、２…昇華性染料、３…プラスチックレンズ、３ａ…被染色面、４…真空容器、５…排気装置、６…加熱装置、７…可動ステージ、８…染色基板、９…保持部材、１０…昇降機構、１２…制御部、１３…ヒータ、１３ａ…加熱面、１７…レンズ保持用シート、１７Ａ…レンズ保持部、１７Ｂ…固定部、１８…粘着剤。
【図１】
2011075689.tif 000003
【図２】
2011075689.tif 000004
【図３】
2011075689.tif 000005
【図４】
2011075689.tif 000006